【事件の表示】
　平成　９年特許願第２８５３５８号「液晶表示装置」拒絶査定不服審判事件〔平成１１年　４月３０日出願公開、特開平１１−１１９７４３〕について、次のとおり審決する。
【結　論】
　本件審判の請求は、成り立たない。
【理　由】
１．手続の経緯
　平成　９年１０月１７日　特許出願
　平成１９年１２月２７日　拒絶理由通知（平成２０年１月１５日発送）
　平成２０年　４月１０日　意見書・手続補正書
　平成２０年　５月１４日　拒絶査定（同年５月２０日送達）
　平成２０年　８月１８日　本件審判請求
　　　　　　　　　　　　　手続補正書
　平成２２年　２月１９日　審尋（同年２月２３日発送）
　平成２２年　５月２１日　回答書
　
２．本件補正の適否
　平成２０年８月１８日付け手続補正（以下、「本件補正」という。）は、明細書の特許請求の範囲の請求項１−１２に、
　
「【請求項１】
　コモン電極にコモン電圧を供給する電圧供給端子及びコモン電極の電圧をモニタするための電圧モニタ端子を設けたＬＣＤパネルと、前記電圧モニタ端子の電圧を検出して、コモン基準電圧と比較し、コモン電極の電圧がコモン基準電圧に一致するようなコモン電圧を生成して、前記電圧供給端子に供給するコモン電極駆動回路とを備えたＴＦＴ（薄膜トランジスタ）・アクティブマトリクス型の液晶表示装置であって、前記コモン電極駆動回路が、前記電圧供給端子にコモン電圧を供給する増幅器と、前記電圧モニタ端子の電圧の各水平時間内の所定の時間幅における電位を選択的に抽出して得られた電圧のコモン基準電圧に対する極性と逆極性の電圧で、かつ前記コモン電極の電圧とコモン基準電圧との差に応じた補正電圧を発生する回路と、その補正電圧発生回路の出力の一部をコモン基準電圧に加算し、そして得られた電圧を前記増幅器に入力する加算器とを具備し、前記コモン電極駆動回路は、前記補正電圧発生回路の出力の一部が所定の大きさとなるように調整する手段を有することを特徴とする液晶表示装置。
【請求項２】コモン電極にコモン電圧を供給する電圧供給端子及びコモン電極の電圧をモニタするための電圧モニタ端子を設けたＬＣＤパネルと、前記電圧モニタ端子の電圧を検出して、コモン基準電圧と比較し、コモン電極の電圧がコモン基準電圧に一致するようなコモン電圧を生成して、前記電圧供給端子に供給するコモン電極駆動回路とを備えたＴＦＴ（薄膜トランジスタ）・アクティブマトリクス型の液晶表示装置であって、前記コモン電極駆動回路が、前記電圧供給端子にコモン電圧を供給する増幅器と、前記電圧モニタ端子の電圧の各水平時間内の所定の時間幅における電位を選択的に抽出して得られた電圧のコモン基準電圧に対する極性と同極性の電圧で、かつ前記コモン電極の電圧とコモン基準電圧との差に応じた補正電圧を発生する回路と、その補正電圧発生回路の出力の一部をコモン基準電圧より減算し、そして得られた電圧を前記増幅器に入力する減算器とを具備することを特徴とする液晶表示装置。
【請求項３】コモン電極にコモン電圧を供給する電圧供給端子及びコモン電極の電圧をモニタするための電圧モニタ端子を設けたＬＣＤパネルと、前記電圧検出端子の電圧を検出して、コモン基準電圧と比較し、コモン電極の電圧がコモン基準電圧に一致するようなコモン電圧を生成して、前記電圧供給端子に供給するコモン電極駆動回路とを備えたＴＦＴ・アクティブマトリクス型の液晶表示装置であって、前記コモン電極駆動回路が、前記電圧モニタ端子の電圧の各水平時間内の所定の時間幅における電位を選択的に抽出して得られた電圧のコモン基準電圧に対する極性と同極性の電圧で、かつ前記コモン電極の電圧とコモン基準電圧との差に応じた補正電圧を発生する回路と、その補正電圧発生回路の出力の一部が逆相入力端子に、コモン基準電圧が正相入力端子にそれぞれ入力され、それら両入力電圧の差分を増幅して前記電圧供給端子に供給する差動増幅器とを具備することを特徴とする液晶表示装置。
【請求項４】請求項１または２において、前記増幅器が差動増幅器であって、その正相入力端子に前記加算器または減算器の出力が入力され、その逆相入力端子に前記電圧モニタ端子の電圧が入力されることを特徴とする液晶表示装置。
【請求項５】請求項３において、前記コモン電極駆動回路に加算器を設け、その加算器を用いて前記補正電圧発生回路の出力に前記電圧モニタ端子の電圧を加算し、その加算後の電圧を前記差動増幅器の逆相入力端子に入力することを特徴とする液晶表示装置。
【請求項６】請求項４または５において、前記差動増幅器は、前記電圧モニタ端子の電圧が１水平時間内に所定の大きさに収束するように、利得が設定されることを特徴とする液晶表示装置。
【請求項７】請求項１，２及び３のいずれかにおいて、前記補正電圧発生回路が、前記選択的に抽出して得られた電圧とコモン基準電圧との差分を増幅する増幅器と、その増幅器の出力に応じた直流電圧を各水平時間ごとに発生する直流電圧発生回路を有することを特徴とする液晶表示装置。
【請求項８】請求項１，２及び３のいずれかにおいて、前記補正電圧発生回路が、前記選択的に抽出して得られた電圧とコモン基準電圧との差分を積分する積分器を有することを特徴とする液晶表示装置。
【請求項９】請求項１，２及び３のいずれかにおいて、前記電圧モニタ端子の電圧を選択的に抽出する時間幅が各水平時間内の初期の一定時間幅であることを特徴とする液晶表示装置。
【請求項１０】請求項９において、前記一定時間が１Ｈ（水平時間）の１／４〜１／３であることを特徴とする液晶表示装置。
【請求項１１】請求項１，２及び３のいずれかにおいて、前記補正電圧発生回路の出力をコモン基準電圧に加算または減算する前記加算器または減算器は、前記補正電圧発生回路の出力の一部が所定の大きさとなるように調整する機能を有することを特徴とする液晶表示装置。
【請求項１２】請求項１，２及び３のいずれかにおいて、前記コモン基準電圧が矩形波であることを特徴とする液晶表示装置。」
　
とあったものを、
　
「【請求項１】
　コモン電極にコモン電圧を供給する電圧供給端子及びコモン電極の電圧をモニタするための電圧モニタ端子を設けたＬＣＤパネルと、
　前記電圧モニタ端子の電圧を検出して、コモン基準電圧と比較し、コモン電極の電圧がコモン基準電圧に一致するようなコモン電圧を生成して、前記電圧供給端子に供給するコモン電極駆動回路と
、
　前記コモン電極駆動回路が、前記電圧供給端子にコモン電圧を供給する増幅器と、
　前記電圧モニタ端子の電圧の各水平時間内の所定の時間幅における電位を選択的に抽出して得られた電圧のコモン基準電圧に対する極性と逆極性の電圧で、かつ前記コモン電極の電圧とコモン基準電圧との差に応じた補正電圧を発生する回路と、
　
前記
離散的なリップル
、
、ＴＦＴアクティブマトリクス型の液晶表示装置であり
　前記コモン電極駆動回路は、
画素間のクロストークを低減するように、補正電圧を発生する
前記離散的なリップルを調整する、
　ことを特徴とする液晶表示装置。
【請求項２】コモン電極にコモン電圧を供給する電圧供給端子及びコモン電極の電圧をモニタするための電圧モニタ端子を設けたＬＣＤパネルと、前記電圧モニタ端子の電圧を検出して、コモン基準電圧と比較し、コモン電極の電圧がコモン基準電圧に一致するようなコモン電圧を生成して、前記電圧供給端子に供給するコモン電極駆動回路とを備えたＴＦＴ（薄膜トランジスタ）・アクティブマトリクス型の液晶表示装置であって、前記コモン電極駆動回路が、前記電圧供給端子にコモン電圧を供給する増幅器と、前記電圧モニタ端子の電圧の各水平時間内の所定の時間幅における電位を選択的に抽出して得られた電圧のコモン基準電圧に対する極性と同極性の電圧で、かつ前記コモン電極の電圧とコモン基準電圧との差に応じた補正電圧を発生する回路と、その補正電圧発生回路の出力の
離散的なリップル
【請求項３】コモン電極にコモン電圧を供給する電圧供給端子及びコモン電極の電圧をモニタするための電圧モニタ端子を設けたＬＣＤパネルと、前記電圧検出端子の電圧を検出して、コモン基準電圧と比較し、コモン電極の電圧がコモン基準電圧に一致するようなコモン電圧を生成して、前記電圧供給端子に供給するコモン電極駆動回路とを備えたＴＦＴ・アクティブマトリクス型の液晶表示装置であって、前記コモン電極駆動回路が、前記電圧モニタ端子の電圧の各水平時間内の所定の時間幅における電位を選択的に抽出して得られた電圧のコモン基準電圧に対する極性と同極性の電圧で、かつ前記コモン電極の電圧とコモン基準電圧との差に応じた補正電圧を発生する回路と、その補正電圧発生回路の出力の
離散的なリップル
【請求項４】請求項１または２において、前記増幅器が差動増幅器であって、その正相入力端子に前記加算器または減算器の出力が入力され、その逆相入力端子に前記電圧モニタ端子の電圧が入力されることを特徴とする液晶表示装置。
【請求項５】請求項３において、前記コモン電極駆動回路に加算器を設け、その加算器を用いて前記補正電圧発生回路の出力に前記電圧モニタ端子の電圧を加算し、その加算後の電圧を前記差動増幅器の逆相入力端子に入力することを特徴とする液晶表示装置。
【請求項６】請求項４または５において、前記差動増幅器は、前記電圧モニタ端子の電圧が１水平時間内に所定の大きさに収束するように、利得が設定されることを特徴とする液晶表示装置。
【請求項７】請求項１，２及び３のいずれかにおいて、前記補正電圧発生回路が、前記選択的に抽出して得られた電圧とコモン基準電圧との差分を増幅する増幅器と、その増幅器の出力に応じた直流電圧を各水平時
間に
【請求項８】請求項１，２及び３のいずれかにおいて、前記補正電圧発生回路が、前記選択的に抽出して得られた電圧とコモン基準電圧との差分を積分する積分器を有することを特徴とする液晶表示装置。
【請求項９】請求項１，２及び３のいずれかにおいて、前記電圧モニタ端子の電圧を選択的に抽出する時間幅が各水平時間内の初期の一定時間幅であることを特徴とする液晶表示装置。
【請求項１０】請求項９において、前記一定時間が１Ｈ（水平時間）の１／４〜１／３であることを特徴とする液晶表示装置。
【請求項１１】請求項１，２及び３のいずれかにおいて、前記補正電圧発生回路の出力をコモン基準電圧に加算または減算する前記加算器または減算器は、前記補正電圧発生回路の出力の
前記離散的なリップルを
【請求項１２】請求項１，２及び３のいずれかにおいて、前記コモン基準電圧が矩形波であることを特徴とする液晶表示装置。」
　
に補正しようとするものである。（注：補正箇所に下線を付加した。）
　ここで、平成２０年８月１８日付け手続補正書の請求項２、３には、「…補正電圧発生回路の出力の
前記離散的なリップル
前記
前記離散的なリップル
離散的なリップル
　
上記補正は、
（１）請求項１の「コモン電極駆動回路とを備えたＴＦＴ（薄膜トランジスタ）・アクティブマトリクス型の液晶表示装置であって」を「コモン電極駆動回路と
、
（２）請求項１の「その補正電圧発生回路」を「
前記
（３）請求項１−３の「補正電圧発生回路の出力の一部」を「補正電圧発生回路の
離散的なリップル
離散的なリップル
（４）請求項１の「…加算器とを具備し、」を「…加算器と
、
、ＴＦＴアクティブマトリクス型の液晶表示装置であり
（５）請求項１の「前記コモン電極駆動回路は、前記補正電圧発生回路の出力の一部が所定の大きさとなるように調整する手段を有すること」を「前記コモン電極駆動回路は、
画素間のクロストークを低減するように、補正電圧を発生する
前記離散的なリップルを調整する、
（６）請求項７の「各水平時間ごとに」を「各水平時
間に
（７）請求項１１の「前記補正電圧発生回路の出力の一部が所定の大きさとなるように調整する」を「前記補正電圧発生回路の出力の
前記離散的なリップルを
からなる。
　
　以下、上記補正事項について検討する。
　上記（３）、（７）の補正事項、及び（５）の「
前記離散的なリップルを調整する、
　また、上記（５）の「
画素間のクロストークを低減するように、補正電圧を発生する
　そして、上記（１）、（２）、（４）、（６）の補正事項は、表現を補正するものであって、技術的事項を実質的に補正するものではない。
　してみると、上記補正事項（１）〜（７）からなる本件補正は、平成１４年法律第２４号改正附則第２条第１項によりなお従前の例によるとされる同法による改正前の特許法第１７条の２第４項第４号に掲げる明りょうでない記載の釈明を目的とする補正に該当するので、本件補正は適法なものと認める。
　
３．本願発明
　本願の請求項２に係る発明は、平成２０年８月１８日付け手続補正により補正された明細書の特許請求の範囲の請求項２に記載された事項により特定される、以下のとおりのものである。（なお、上記「２．」に記載したとおり、「前記離散的なリップル」は「離散的なリップル」の誤記と認めて認定した。）
　
「　コモン電極にコモン電圧を供給する電圧供給端子及びコモン電極の電圧をモニタするための電圧モニタ端子を設けたＬＣＤパネルと、前記電圧モニタ端子の電圧を検出して、コモン基準電圧と比較し、コモン電極の電圧がコモン基準電圧に一致するようなコモン電圧を生成して、前記電圧供給端子に供給するコモン電極駆動回路とを備えたＴＦＴ（薄膜トランジスタ）・アクティブマトリクス型の液晶表示装置であって、前記コモン電極駆動回路が、前記電圧供給端子にコモン電圧を供給する増幅器と、前記電圧モニタ端子の電圧の各水平時間内の所定の時間幅における電位を選択的に抽出して得られた電圧のコモン基準電圧に対する極性と同極性の電圧で、かつ前記コモン電極の電圧とコモン基準電圧との差に応じた補正電圧を発生する回路と、その補正電圧発生回路の出力の離散的なリップルをコモン基準電圧より減算し、そして得られた電圧を前記増幅器に入力する減算器とを具備することを特徴とする液晶表示装置。」（以下、「本願発明」という。）　
　
４．引用発明
４−１　引用刊行物
　原査定の拒絶の理由に引用され、本願の出願前に日本国内において、頒布された刊行物である特開平６−１９４６２２号公報（以下、「引用刊行物」という。）には、図面とともに、以下の事項が記載されている。
（Ａ）「【０００１】
【産業上の利用分野】本発明は液晶表示装置およびその駆動方法に関し、特に、薄膜トランジスタ（ＴＦＴ）を用いたアクティブマトリクス型の液晶表示装置およびその駆動方法に関する。…」
　
（Ｂ）「【０００２】
【従来の技術】図１２は従来の液晶表示装置の一例を示す図であり、図１３は従来の液晶表示装置における駆動波形の一例を示す図である。図１２において、参照符号１はＴＦＴ基板, ２は対向基板, ３は走査バスライン（ゲートバス),４はデータバスライン（データバス),５はコモン電極を示し、また、20は液晶層, ＣDCはその間の寄生容量を示している。
【０００３】一般に、液晶表示装置は、データバス４から各液晶セルに印加されるデータ電圧と、コモン電極５に印加されているコモン電圧との電位差によって表示を行うようになっている。しかしながら、コモン電極５の抵抗成分およびデータバス４とコモン電極５との間の寄生容量ＣDC等に起因して、図１３に示すように、データ電圧の立ち上がりおよび立ち下がり個所において表示パネル内での実際のコモン電圧が変化し、入力されたコモン電圧とは異なる波形になってしまうのが実情である。
【０００４】図２０は従来の液晶表示装置における駆動波形の一例を示す図であり、同図(a) は全黒表示の場合を示し、同図(b) は全白表示の場合を示しており、１ライン走査毎にデータ電圧Ｖd の極性を反転させる液晶表示装置の駆動方法における駆動波形を示している。図２０(a) および(b) 中の破線で示されるように、本来は一定の電圧であるべきコモン電圧Ｖc には、データ電極とコモン電極間の寄生容量等に起因してデータ電圧Ｖd の変化に伴ったコモン電圧の歪み（ΔV1, ΔV2）が生じている。すなわち、データ電極とコモン電極間の寄生容量等に起因して、液晶に印加される電圧（データ電極とコモン電極間の電圧）が本来の値よりも小さくなっている。さらに、コモン電極の抵抗分のためにＴＦＴがオフになる１水平期間の終わりで本来の電圧に戻らないといった現象が生じている。
【０００５】また、上述した、実際のコモン電圧Ｖcrは、１本の走査電極上の表示データに黒が多い場合にはデータ電圧の変化が大きいために大きく歪み（ΔV1）、逆に、１本の走査電極上の表示データに白が多い場合は小さく歪む（ΔV2）ことになる。」
　
（Ｃ）「【０００６】
【発明が解決しようとする課題】上述したように、従来の液晶表示装置は、データ電圧の立ち上がりおよび立ち下がり個所において、コモン電極５の抵抗成分およびデータバス４とコモン電極５との間の寄生容量ＣDC等によるＲＣ回路のために、表示パネル内での実際のコモン電圧が変化して表示品質が低下することになっている。
【０００７】また、従来、液晶表示装置におけるフリッカを抑えるために、一水平走査ライン毎にデータ電圧の極性を反転させて駆動する方法が知られているが、この場合には、コモン電圧の変化が液晶セルの実効電圧に影響を与えてクロストークの発生原因となり、表示品質を落とすという問題もあった。このクロストーク現象は、横方向に隣合う画素の極性が同じ場合に顕著に現れるため、隣合う画素の極性を逆にすることができないコモン電圧反転駆動ではクロストークが発生し易くなっている。
　……
【００１０】本発明は、上述した従来の液晶表示装置が有する課題に鑑み、コモン電圧の歪みを無くし、液晶セルの実効電圧の変化が生じないようにして液晶表示装置の表示品質を向上させることを目的とする。また、本発明は、上述した従来の液晶表示装置の駆動方法が有する課題に鑑み、クロストークを減少して表示品質を向上させることも目的とする。さらに、本発明は、コモン電圧のリアルタイムで最適な補正、および、パネル全面で最適な補正を行うことも目的とする。」
　
（Ｄ）「【００４９】次に、本発明の第３の形態としての液晶表示装置を説明するが、本第３の形態の液晶表示装置における液晶パネル201 の基本的な構成は、図１２に示す従来のものと同様である。図１２および図１３を参照して説明したように、従来、液晶表示装置においては、データバスから各液晶セルに印加される電圧とコモン電圧の電位差によって表示を行うが、コモン電極の抵抗、或いは、データバスとコモン電極との間の寄生容量等によって、データ電圧の立ち上がりや立ち下がりでコモン電圧も変化し、入力されたコモン電圧とは異なる波形になってしまう。これは、データバスとコモン電極間に挟まれている液晶が寄生容量となるためにデータ電圧の変化によってコモン電圧も変化してしまうことによって生じる。
　……
【００５１】これに対して、本発明に係る液晶表示装置の第３の形態では、コモン電圧の歪みを補正するためにコモン電圧の歪みを検出し、その歪みの大きさに対応した補正電圧を出力してこれを液晶パネルに印加する。この補正回路に積分回路、サンプルホールド回路等を用いれば、コモン電圧の変動にリアルタイムで対応できるので、最適な補正電圧が得られ、複雑なデータ処理も不要となる。そこで、コモン電圧の歪みの大きさによって補正電圧が左右されるので、歪みの最も大きい箇所のコモン電圧を検出しなければならない。しかし、その箇所はコモン電圧の入力端から最も離れた箇所となるので、パネル構成にもよるが、大体パネルの中心部のコモン電極の電圧変動を検出することになる。その場合、外部からコモン電圧の歪みを検出することが困難になる。そのため、予めコモン電極の抵抗を計算して外部でモニタした検出信号の電圧レベルを変換する方法、差動増幅器でコモン電極での電流変化を電圧に変換して検出する方法等を用いて簡単にコモン電圧の歪みを検出できるようにする。この補正方法を用いることで、コモン電圧の歪みを抑えるための最適な補正電圧が得られるので、クロストークの発生を抑えることができる。
【００５２】以下、図２２〜図３０を参照して本発明の第３の形態としての液晶表示装置を詳述する。図２２は本発明に係る液晶表示装置の第３の形態の原理を示すブロック図である。同図において、参照符号201 は液晶パネル、202 はコモン電極、そして、203 は補正回路を示している。
【００５３】図２２に示されるように、本発明に係る液晶表示装置の第３の形態では、液晶パネル201 に補正回路203 を設け、コモン電極202 におけるコモン電圧の歪みの検出信号を補正回路203 に供給するようになっている。そして、補正回路203 からは入力された検出信号（コモン電圧検出信号）の大きさに対応し、コモン電圧の歪みの極性と逆極性の補正電圧をリアルタイムで出力し、コモン電極202 にフィードバックするようになっている。
……
【００５６】図２５は本発明に係る液晶表示装置の第３の形態における補正回路の他の実施例を示す回路図であり、演算増幅器241,251,261,サンプリング用トランジスタ（ＭＯＳトランジスタ)270, リセット用スイッチ280,および, 遅延回路290 等を用いて構成したサンプルホールド回路の一例を示している。ここで、増幅器261 は、サンプルホールド回路（補正回路）の出力をコモン電圧の歪みの極性と逆極性にするために、反転増幅器として動作するように構成されている。また、サンプルホールド回路としては、図２５に示すものの他に様々な構成とすることができるのはもちろんである。
【００５７】図２６は図２５に示す補正回路の動作を説明するための波形図であり、同図(a) は補正なしのコモン電圧波形、同図(b) はサンプル信号、同図(c) はリセット信号、同図(d) は補正電圧（サンプルホールド回路の出力電圧) 波形、そして、同図(e) は補正を行った後のコモン電圧波形を示している。ここで、図２５に示すように、リセット信号としては、例えば、水平同期信号HSYNC をそのまま使用し、また、サンプル信号としては、水平同期信号HSYNC を遅延回路290 で遅延させた信号を使用するようになている。
【００５８】図２５に示すサンプルホールド回路は、サンプル信号（図２６(b) 参照）が出力される（高レベルになる）タイミングに応じて、その時の補正なしのコモン電圧波形のレベルをサンプルホールド（図２６(a) および(d) 参照）する。そして、反転増幅器261 は、リセット信号（図２６(c) 参照）によりリセットさた後、サンプルホールドされた増幅器251 の出力を反転して出力する。これにより得られた電圧（補正電圧）をコモン電極にフィードバックすることにより、コモン電圧を補正（図２６(e) 参照）することができる。すなわち、サンプルホールド回路でもサンプルホールド動作を行うタイミングを一定にしておけば、コモン電圧の歪みに対応する電圧をリアルタイムで出力しているので、各データに対応した補正電圧を液晶パネルに印加することができる。
【００５９】図２７は本発明に係る液晶表示装置の第３の形態の第１実施例を示すブロック図である。同図において、参照符号204 はモニタ用抵抗、また、202a,202b,202c,202d はコモン電極202 の四隅に設けられたコモン電圧用端子である。図２７に示されるように、本実施例の液晶表示装置では、補正回路203 の出力端子と４つのコモン電圧用端子202a,202b,202c,202d を纏めた配線との間に、すなわち、コモン電圧の出力端と液晶パネル201 のコモン電極202 との間に、モニタ用の抵抗204 を挿入するようになっている。このモニタ用抵抗204 とコモン電極202 との間の個所でコモン電圧の歪みを検出し、それを補正回路203 に入力するようになっている。ここで、モニタ用抵抗204 の抵抗値に関しては、液晶パネルの表示に影響を与えない程度の低いものとする必要がある。
……
【００６１】図２９は本発明に係る液晶表示装置の第３の形態の第３実施例を示すブロック図であり、図３０は本発明に係る液晶表示装置の第３の形態の第４実施例を示すブロック図である。これら第３および第４実施例は、例えば、コモン電極202 が４つのコモン電圧用端子202a,202b,202c,202d を該コモン電極の四隅に有している場合、その内の１か所、あるいは複数の箇所からコモン電圧との接続を外し、その端子でコモン電圧の歪みを検出するものである。
【００６２】具体的に、図２９に示されるように、１か所のコモン電圧用端子202bだけコモン電圧を外す場合は、その端子でコモン電圧の歪みを検出することができる。…。
【００６３】上述した各実施例において、補正電圧（補正回路203 の出力電圧）は、コモン電極202 に印加されるようになっているが、コモン電極202 に限定されるものではなく、例えば、図４および図５に示すカラーフィルタ８の導電性遮光膜81、または、図７に示す補助電極９等に補正電圧を印加してコモン電圧の歪みを補正するようにしてもよい。
【００６４】以上、詳述したように、本発明に係る第３の形態の液晶表示装置によれば、補正回路として、積分回路またはサンプルホールド回路を用いることにより、コモン電極の抵抗およびデータバスとコモン電極間の寄生容量等によって生じるコモン電圧の歪みを抑えるようにリアルタイムで補正することができ、クロストークの発生を抑えることができる。」
　
（Ｅ）「【図面の簡単な説明】
……
【図１２】従来の液晶表示装置の一例を示す図である。
【図１３】従来の液晶表示装置における駆動波形の一例を示す図である。
……
【図２０】従来の液晶表示装置における駆動波形の一例を示す図である。
【図２１】従来の液晶表示装置における課題を説明するための図である。
【図２２】本発明に係る液晶表示装置の第３の形態の原理を示すブロック図である。
【図２３】本発明に係る液晶表示装置の第３の形態における補正回路の一実施例を示す回路図である。
【図２４】図２３に示す補正回路の動作を説明するための波形図である。
【図２５】本発明に係る液晶表示装置の第３の形態における補正回路の他の実施例を示す回路図である。
【図２６】図２５に示す補正回路の動作を説明するための波形図である。
【図２７】本発明に係る液晶表示装置の第３の形態の第１実施例を示すブロック図である。
【図２８】本発明に係る液晶表示装置の第３の形態の第２実施例を示すブロック図である。
【図２９】本発明に係る液晶表示装置の第３の形態の第３実施例を示すブロック図である。
【図３０】本発明に係る液晶表示装置の第３の形態の第４実施例を示すブロック図である。
【図３１】本発明に係る液晶表示装置の第３の形態における課題を説明するための図である。
……」　
　
（Ｆ）図２５は、液晶表示装置の第３の実施形態における補正回路の他の実施例を示す回路図であり、該回路図から、液晶表示装置の第３の実施形態における他の実施例である補正回路は、以下の（Ｆ−１）〜（Ｆ−６）の構成を有する回路であることが看取できる。
（Ｆ−１）演算増幅器２４１は、正入力端子、負入力端子、出力端子を有し、前記正入力端子は、抵抗（以下、この抵抗を「第１の抵抗」という。）を介してコモン電圧検出信号が入力されるとともにコンデンサ（以下、このコンデンサを「第１のコンデンサ」という。）と抵抗（以下、この抵抗を「第２の抵抗」という。）の直列回路を介して前記負入力端子に接続され、前記負入力端子は、さらに、抵抗（以下、この抵抗を第３の抵抗という。）を介して基準コモン電圧に接続されるとともに、抵抗（以下、この抵抗を「第４の抵抗」という。）を介して演算増幅器２５１の負入力端子と出力端子にそれぞれ接続され、前記演算増幅器２４１の出力端子がサンプリング用トランジスタ２７０の第１の端子に接続されていること。
（Ｆ−２）サンプリング用トランジスタ２７０は、第１の端子、第２の端子、ゲート端子を有し、前記第１の端子は演算増幅器２４１の出力端子に接続され、前記第２の端子はコンデンサ（以下、このコンデンサを「第２のコンデンサ」という。）の一端と演算増幅器２５１の正入力端子にそれぞれ接続され、前記ゲート端子にはＨＳＹＮＣ信号が遅延回路２９０とダイオードの直列回路を介してサンプル信号として供給され、前記第１の端子と前記ゲート端子との間に抵抗（以下、この抵抗を「第５の抵抗」という。）が接続されていること。
（Ｆ−３）第２のコンデンサは一端と他端とを有し、前記一端はサンプリング用トランジスタの第２の端子と演算増幅器２５１の正入力端子にそれぞれ接続され、他端は基準コモン電圧に接続されていること。
（Ｆ−４）演算増幅器２５１は、正入力端子、負入力端子、出力端子を有し、前記正入力端子は前記第２のコンデンサの一端に接続され、前記出力端子と前記負入力端子は互いに接続され第４の抵抗を介して演算増幅器２４１の負入力端子に接続されるとともに、リセット用スイッチ２８０の一方の入力端子に接続されていること。
（Ｆ−５）リセット用スイッチ２８０は、第１、第２の入力端子と出力端子とを備え、第１の入力端子が演算増幅器２５１の出力端子に接続され、第２の入力端子には基準コモン電圧が印加され、ＨＳＹＮＣ信号であるリセット信号により、第１または第２の入力端子に印加される電位のいずれかの電位を出力端子に出力すること。
（Ｆ−６）演算増幅器２６１は、正入力端子、負入力端子、出力端子を有し、前記正入力端子は基準コモン電圧が入力され、前記負入力端子は抵抗（以下、この抵抗を「第６の抵抗」という。）を介してリセット用スイッチ２８０の出力端子に接続されるとともに抵抗（以下、この抵抗を「第７の抵抗」という。）を介して出力端子に接続され、前記出力端子は前記第７の抵抗を介して前記負入力端子に接続されるとともに補正電圧を出力すること。
　
（Ｇ）「【００６１】図２９は本発明に係る液晶表示装置の第３の形態の第３実施例を示すブロック図であり、…。…、コモン電極202 が４つのコモン電圧用端子202a,202b,202c,202d を該コモン電極の四隅に有している場合、その内の１か所、あるいは複数の箇所からコモン電圧との接続を外し、その端子でコモン電圧の歪みを検出するものである。」との記載、「【００５３】図２２に示されるように、本発明に係る液晶表示装置の第３の形態では、液晶パネル201 に補正回路203 を設け…」との記載を参酌すると、図２９に図示される液晶表示装置の第３実施形態の第３実施例を示すブロック図から、以下の事項が看取できる。
（Ｇ−１）液晶パネル２０１のコモン電極２０２が４つのコモン電圧用端子２０２ａ、２０２ｂ、２０２ｃ、２０２ｄを有していること。
（Ｇ−２）前記コモン電圧用端子２０２ａからコモン電圧信号を検出して補正回路２０３に入力していること。
（Ｇ−３）前記補正回路２０３の出力である補正電圧を前記コモン電圧用端子２０２ｂ、２０２ｃ、２０２ｄに印加して前記コモン電極２０２に供給していること。
　
４−２　引用刊行物に記載された発明
（イ）引用刊行物における「【００５３】図２２に示されるように、本発明に係る液晶表示装置の第３の形態では、液晶パネル201 に補正回路203 を設け、コモン電極202 におけるコモン電圧の歪みの検出信号を補正回路203 に供給するようになっている。」との記載、「【００５６】図２５は本発明に係る液晶表示装置の第３の形態における補正回路の他の実施例を示す回路図であり、…」との記載、及び、「【００６１】図２９は本発明に係る液晶表示装置の第３の形態の第３実施例を示すブロック図であり、…」との記載から、引用刊行物には、補正回路として図２５に図示される補正回路を備えた図２９に示される第３形態の第３実施例の液晶表示装置が開示されている。以下、図２５に図示される補正回路を備えた第３形態の第３実施例の液晶表示装置に基づいて引用発明を認定する。
　
（ロ）引用刊行物における「【０００１】【産業上の利用分野】本発明は液晶表示装置…に関し、特に、薄膜トランジスタ（ＴＦＴ）を用いたアクティブマトリクス型の液晶表示装置…に関する。…」との記載から、引用刊行物には、「薄膜トランジスタ（ＴＦＴ）を用いたアクティブマトリクス型の液晶表示装置」が開示されている。
　
（ハ）引用刊行物の図２９から看取できる事項である上記（Ｇ−１）〜（Ｇ−３）より、引用刊行物には、「コモン電極２０２に補正電圧を供給するコモン電圧用端子２０２ｂ、２０２ｃ、２０２ｄ及び前記コモン電極２０２のコモン電圧信号を検出するコモン電圧用端子２０２ａを設けた液晶パネル２０１」が開示されている。
　
（ニ）引用刊行物の図２９から看取できる事項である上記（Ｇ−２），（Ｇ−３）より、補正回路２０３は、コモン電圧用端子２０２ａからコモン電圧信号を検出し、コモン電圧用端子２０２ｂ、２０２ｃ、２０２ｄに補正電圧を供給する回路である。したがって、引用刊行物には、「コモン電圧用端子２０２ａからコモン電圧信号を検出し、コモン電圧用端子２０２ｂ、２０２ｃ、２０２ｄに補正電圧を供給する補正回路２０３」が開示されている。
　
（ホ）引用刊行物には、従来の技術を説明する箇所に「【０００４】図２０は従来の液晶表示装置における駆動波形の一例を示す図であり…。…本来は一定の電圧であるべきコモン電圧Ｖc には、データ電極とコモン電極間の寄生容量等に起因してデータ電圧Ｖd の変化に伴ったコモン電圧の歪み（ΔV1, ΔV2）が生じている。…。さらに、コモン電極の抵抗分のためにＴＦＴがオフになる１水平期間の終わりで本来の電圧に戻らないといった現象が生じている。」と記載され、また、発明が解決しようとする課題の箇所に「【０００６】【発明が解決しようとする課題】上述したように、従来の液晶表示装置は、データ電圧の立ち上がりおよび立ち下がり個所において、コモン電極５の抵抗成分およびデータバス４とコモン電極５との間の寄生容量ＣDC等によるＲＣ回路のために、表示パネル内での実際のコモン電圧が変化して表示品質が低下することになっている。」と記載されている。また、従来の液晶表示装置における駆動波形を図示する図２０には、１水平周期の終わりで、実際のコモン電圧が本来のコモン電圧に戻らない波形図が描かれている。以上のことから、引用刊行物には、コモン電圧に歪みが発生すること、１水平周期の終わりで実際のコモン電圧が本来のコモン電圧に戻らないことに起因して表示品質が低下するという従来の液晶表示装置が有する課題が開示されている。
　また、引用刊行物には、「【００１０】本発明は、上述した従来の液晶表示装置が有する課題に鑑み、コモン電圧の歪みを無くし、液晶セルの実効電圧の変化が生じないようにして液晶表示装置の表示品質を向上させることを目的とする。」との記載、「【００５８】図２５に示すサンプルホールド回路は、サンプル信号（図２６(b) 参照）が出力される（高レベルになる）タイミングに応じて、その時の補正なしのコモン電圧波形のレベルをサンプルホールド（図２６(a) および(d) 参照）する。そして、反転増幅器261 は、リセット信号（図２６(c) 参照）によりリセットさた後、サンプルホールドされた増幅器251 の出力を反転して出力する。これにより得られた電圧（補正電圧）をコモン電極にフィードバックすることにより、コモン電圧を補正（図２６(e) 参照）することができる。」との記載があり、また、図２５に示す補正回路の動作を説明するための波形図が示された図２６の（ｅ）の波形図には、補正電圧をコモン電極にフィードバックすることにより、１水平周期の終わりで、「補正ありコモン電圧」の波形が本来のコモン電圧（基準コモン電圧）に戻る波形図が描かれている。
　してみると、引用刊行物には、補正電圧をコモン電極にフィードバックすることにより、コモン電圧を補正してコモン電圧の歪みを無くし、１水平周期の終わりでコモン電圧が基準コモン電圧になることが開示されており、つまり、コモン電極にフィードバックする補正電圧は、１水平周期の終わりでコモン電圧が基準コモン電圧になるような補正電圧であることが実質的に開示されているといえる。
　
（へ）引用刊行物における「【００５８】図２５に示すサンプルホールド回路は、サンプル信号（図２６(b) 参照）が出力される（高レベルになる）タイミングに応じて、その時の補正なしのコモン電圧波形のレベルをサンプルホールド（図２６(a) および(d) 参照）する。」との記載と、演算増幅器を用いる電子回路の技術分野の技術常識（例えば、岡村迪夫著、「ＯＰアンプ回路の設計」、ＣＱ出版株式会社、１９９０年９月３０日、３１９頁１８行〜３２０頁１２行、図１１−２０に記載される「サンプル＆ホールド回路」を参照。）を参酌すれば、引用刊行物の図２５に図示される補正回路が具備する回路構成（Ｆ−１）〜（Ｆ−６）のうち、（Ｆ−１）〜（Ｆ−４）で構成される回路は、「ＨＳＹＮＣ（水平同期信号）を遅延回路２９０で遅延させた信号であるサンプル信号のタイミングに応じて、演算増幅器２４１の正入力端子に入力されるコモン電圧検出信号をサンプルホールドし、演算増幅器２５１の出力端子からサンプルホールド電圧を出力するサンプルホールド回路」として動作するといえる。なお、ＨＳＹＮＣは、「【００５７】…水平同期信号HSYNC…」との記載から、水平同期信号である。
　
（ト）引用刊行物における「【００５８】…、反転増幅器261 は、リセット信号（図２６(c) 参照）によりリセットさた後、サンプルホールドされた増幅器251 の出力を反転して出力する。」との記載、リセット信号はＨＳＹＮＣ（水平同期信号）であること、上記（Ｆ−５）に摘記の回路構成、図２６（ｃ）のリセット信号の波形図より看取されるように、リセット信号が立ち上がる１水平周期の初めの期間は、同図（ｄ）の補正電圧が中間の電位であるから、引用刊行物には、「水平同期信号が入力される１水平走査期間の初めの期間（以下、この期間を「リセット期間」という。）は基準コモン電圧を選択して出力し、その後の期間（以下、この期間を「非リセット期間」という。）はサンプルホールドされた増幅器251 の出力を選択して出力するリセット用スイッチ２８０」が開示されている。
　
（チ）引用刊行物における補正回路は、上記（Ｆ−６）の回路構成、すなわち、「正入力端子、負入力端子、出力端子を有し、前記正入力端子は基準コモン電圧が入力され、前記負入力端子は第６の抵抗を介してリセット用スイッチ２８０の出力端子が接続されるとともに第７の抵抗を介して出力端子に接続され、前記出力端子は前記第７の抵抗を介して前記負入力端子に接続されるとともに補正電圧を出力する演算増幅器２６１」を有し、演算増幅器を用いる電子回路の技術分野の技術常識を参酌すると、上記（Ｆ−６）の回路構成は、以下のように動作する。（但し、補正電圧：Ｖｏｕｔ、 基準コモン電圧：Ｖｃｏｍ、演算増幅器２５１の出力端子の電圧：Ｖｓａｍｐ、第６の抵抗の抵抗値：Ｒ６、第７の抵抗の抵抗値：Ｒ７とする。）
　リセット用スイッチ２８０がサンプルホールドされた演算増幅器２５１の出力を選択する非リセット期間での動作：
　　（１）第６の抵抗に流れる電流値：技術常識より、演算増幅器２６１の負入力端子の電位と正入力端子の電位は実質的に同電位のＶｃｏｍであるから、第６の抵抗の両端の電位は、ＶｓａｍｐとＶｃｏｍである。したがって、第６の抵抗に流れる電流値は、
　　　　（Ｖｓａｍｐ−Ｖｃｏｍ）／Ｒ６
である。
　　（２）第７の抵抗での電圧降下値：技術常識より、演算増幅器２６１の負入力端子には、実質的に電流が流入或いは流出しないから、第７の抵抗には、第６の抵抗に流れる電流と実質的に同じ電流が流れる。したがって、第７の抵抗での電圧降下値は、
　　　　（Ｖｓａｍｐ−Ｖｃｏｍ）＊Ｒ７／Ｒ６
である。
　　（３）演算増幅器２６１の出力電位Ｖｏｕｔ：負入力端子の電位（技術常識より、正入力端子の電位と実質的に等しいＶｃｏｍである。）から第７の抵抗での電圧降下を減算した電位、すなわち、
　　　　Ｖｏｕｔ≒Ｖｃｏｍ−（Ｖｓａｍｐ−Ｖｃｏｍ）＊Ｒ７／Ｒ６
である。
　リセット用スイッチ２８０が基準コモン電圧を選択するリセット期間での動作
　　（４）第６の抵抗に流れる電流値：演算増幅器２６１の負入力端子の電位は、正入力端子の電位と実質的に等しいＶｃｏｍであるから、第６の抵抗の両端の電位は何れもＶｃｏｍである。したがって、第６の抵抗には電流が流れない。
　　（５）第７の抵抗での電圧降下：技術常識より、演算増幅器２６１の負入力端子には、実質的に電流が流入或いは流出しないから、第７の抵抗には電流が流れない。したがって、第７の抵抗に電圧降下は発生しない。
　　（６）演算増幅器２６１の出力電位Ｖｏｕｔ：第７の抵抗に電圧降下は発生しないから、演算増幅器２６１の出力端子の電位は、負入力端子の電位と実質的に等しいＶｃｏｍである。
　　　　Ｖｏｕｔ≒Ｖｃｏｍ
　
　以上の（イ）〜（チ）より、引用刊行物には、以下の発明が開示されている。
「コモン電極２０２に補正電圧を供給するコモン電圧用端子２０２ｂ、２０２ｃ、２０２ｄ及び前記コモン電極２０２のコモン電圧信号を検出するコモン電圧用端子２０２ａを設けた液晶パネル２０１と、
　コモン電圧用端子２０２ａからコモン電圧信号を検出し、１水平周期の終わりでコモン電圧が基準コモン電圧になるような補正電圧を出力し、コモン電圧用端子２０２ｂ、２０２ｃ、２０２ｄに供給する補正回路２０３と、
　を備える薄膜トランジスタ（ＴＦＴ）を用いたアクティブマトリクス型の液晶表示装置であって、
　前記補正回路２０３が、
　ＨＳＹＮＣ（水平同期信号）を遅延回路２９０で遅延させた信号であるサンプル信号のタイミングに応じて、演算増幅器２４１の正入力端子に入力されるコモン電圧検出信号をサンプルホールドし、演算増幅器２５１の出力端子からサンプルホールド電圧を出力するサンプルホールド回路と、
　水平同期信号が入力される１水平走査期間の初めの期間（以下、この期間を「リセット期間」という。）は基準コモン電圧を選択して出力し、その後の期間（以下、この期間を「非リセット期間」という。）はサンプルホールドされた演算増幅器２５１ の出力を選択して出力するリセット用スイッチ２８０と、
　正入力端子、負入力端子、出力端子を有し、前記正入力端子は基準コモン電圧が入力され、前記負入力端子は第６の抵抗を介してリセット用スイッチ２８０の出力端子が接続されるとともに第７の抵抗を介して出力端子に接続され、前記出力端子は前記第７の抵抗を介して前記負入力端子に接続されるとともに補正電圧を出力する演算増幅器２６１とを具備し、
　第６の抵抗、第７の抵抗及び演算増幅器２６１で構成される回路の動作は、
　
　リセット用スイッチ２８０がサンプルホールドされた演算増幅器２５１の出力を選択する非リセット期間での動作：
　　（１）第６の抵抗に流れる電流値：
　　　　（Ｖｓａｍｐ−Ｖｃｏｍ）／Ｒ６
　　（２）第７の抵抗での電圧降下値：
　　　　（Ｖｓａｍｐ−Ｖｃｏｍ）＊Ｒ７／Ｒ６
　　（３）演算増幅器２６１の出力電位Ｖｏｕｔ：
　　　　Ｖｏｕｔ≒Ｖｃｏｍ−（Ｖｓａｍｐ−Ｖｃｏｍ）＊Ｒ７／Ｒ６
　
　リセット用スイッチ２８０が基準コモン電圧を選択するリセット期間での動作
　　（４）第６の抵抗には電流が流れない。
　　（５）第７の抵抗に電圧降下は発生しない。
　　（６）演算増幅器２６１の出力電位Ｖｏｕｔ：
　　　　Ｖｏｕｔ≒Ｖｃｏｍ
　
である液晶表示装置。（但し、補正電圧：Ｖｏｕｔ、 基準コモン電圧：Ｖｃｏｍ、演算増幅器２５１の出力端子の電圧：Ｖｓａｍｐ、第６の抵抗の抵抗値：Ｒ６、第７の抵抗の抵抗値：Ｒ７とする。）」（以下、引用発明」という。）
　
５．対比
　本願発明と引用発明とを対比する。
５−１
　引用発明における「コモン電極２０２」は、本願発明における「コモン電極」に相当し、以下同様に、「液晶パネル２０１」が「ＬＣＤパネル」に、「コモン電極のコモン電圧信号を検出するコモン電圧用端子２０２ａ」が「コモン電極の電圧をモニタするための電圧モニタ端子」に、「基準コモン電圧」が「コモン基準電圧」に、「薄膜トランジスタ（ＴＦＴ）を用いたアクティブマトリクス型の液晶表示装置」が「ＴＦＴ（薄膜トランジスタ）・アクティブマトリクス型の液晶表示装置」にそれぞれ相当する。
　
５−２　
　本願発明における「前記電圧モニタ端子の電圧を検出して、コモン基準電圧と比較し、コモン電極の電圧がコモン基準電圧に一致するようなコモン電圧を生成して、前記電圧供給端子に供給するコモン電極駆動回路」と、引用発明における「コモン電圧用端子２０２ａからコモン電圧信号を検出し、１水平周期の終わりでコモン電圧が基準コモン電圧になるような補正電圧を出力し、コモン電圧用端子２０２ｂ、２０２ｃ、２０２ｄに供給する補正回路２０３」であって、「…コモン電圧検出信号をサンプルホールドし、…出力するサンプルホールド回路と、…リセット用スイッチ２８０と、…負入力端子は第６の抵抗を介してリセット用スイッチ２８０の出力端子が接続される…演算増幅器２６１とを具備し、…リセット用スイッチ２８０がサンプルホールドされた演算増幅器２５１の出力を選択する非リセット期間」に、「（２）第７の抵抗での電圧降下値：（Ｖｓａｍｐ−Ｖｃｏｍ）＊Ｒ７／Ｒ６」である補正回路とを比較する。
５−２−１　
　引用発明における補正回路の第７の抵抗には、コモン電圧検出信号をサンプルホールドした電圧Ｖｓａｍｐと基準コモン電圧Ｖｃｏｍとの差に応じた電圧が電圧降下値として発生し、該電圧降下値を用いて補正電圧を生成していることから、引用発明の補正回路は、コモン電圧信号を基準コモン電圧と比較していると言える。
５−２−２
　本願の発明の詳細な説明には、「【００１８】【発明が解決しようとする課題】従来の図１４のコモン電極駆動回路にて、１３．３″や１５．１″のＸＧＡパネルを駆動してきたが、コモンＤＣ電圧が１水平期間内に充分安定になっているにもかかわらず、まだ１〜２％ものクロストークが見えるものが多い。原因はＴＦＴの画素への書き込みの途上で、まだ画素電位がいくらかの遷移中に、ゲートが閉じることとなり、そのようなコモン電位にとって外乱である様な信号の動的状況が、コモン電位をゆるがし、コモン電位の偏差を残留させ、１行単位での書き込み偏差となるものと思われる。」との記載、「【００３０】【発明の実施の形態】この発明では、コモン電極の電位変動は残留するものであることを前提とし、かつその残留分は外乱の大きさに線形的に依存することをも前提とし、そのうえでその残留分を、局部的であれ全領域的であれ、基準のコモンＤＣ電位そのものを行単位に変化させることによって、電位変動を強制的に打ち消すことを考える。
【００３１】すなわち、コモン電位のリップルのみを検出し、それをＤＣ電位差に変換してとらえ、それを１水平時間単位でコモン基準電位に負帰還的にＤＣ加算した。」との記載がある。前記記載から、従来は、1水平期間が終了してゲートが閉じる時点で画素電極が遷移中であるためコモン電位の電位変動が残留し、クロストークが発生すること、本願発明では、コモン基準電位にＤＣ加算し、1水平期間が終了してゲートが閉じる時点での前記電位変動を打ち消していることが読み取れる。そうすると、本願発明における「コモン電極の電圧がコモン基準電圧に一致するようなコモン電圧」は、「１水平期間の終わりでコモン電極の電圧がコモン基準電圧に一致するようなコモン電圧」を意味するものと解されるから、本願発明の「コモン電極の電圧がコモン基準電圧に一致するようなコモン電圧」と、引用発明の「１水平周期の終わりでコモン電圧が基準コモン電圧になるような補正電圧」とは、相当関係にある。
５−２−３
　以上のことから、引用発明における「コモン電圧用端子２０２ａからコモン電圧信号を検出し、１水平周期の終わりでコモン電圧が基準コモン電圧になるような補正電圧を出力し、コモン電圧用端子２０２ｂ、２０２ｃ、２０２ｄに供給する補正回路２０３」であって、「…コモン電圧検出信号をサンプルホールドし、…出力するサンプルホールド回路と、…リセット用スイッチ２８０と、…負入力端子は第６の抵抗を介してリセット用スイッチ２８０の出力端子が接続される…演算増幅器２６１とを具備し、…リセット用スイッチ２８０がサンプルホールドされた演算増幅器２５１の出力を選択する非リセット期間」に、「（２）第７の抵抗での電圧降下値：（Ｖｓａｍｐ−Ｖｃｏｍ）＊Ｒ７／Ｒ６」である補正回路２０３は、本願発明における「前記電圧モニタ端子の電圧を検出して、コモン基準電圧と比較し、コモン電極の電圧がコモン基準電圧に一致するようなコモン電圧を生成して、前記電圧供給端子に供給するコモン電極駆動回路」に相当する。
　
５−３
　本願発明の「コモン電極にコモン電圧を供給する電圧供給端子及びコモン電極の電圧をモニタするための電圧モニタ端子を設けたＬＣＤパネル」と、引用発明の「コモン電極２０２に補正電圧を供給するコモン電圧用端子２０２ｂ、２０２ｃ、２０２ｄ及び前記コモン電極２０２のコモン電圧信号を検出するコモン電圧用端子２０２ａを設けた液晶パネル２０１」とを比較する。
　上記５−２−２で検討したとおり、本願発明の「…コモン電圧」と、引用発明の「…補正電圧」とは相当関係にあるから、引用発明の「コモン電極２０２に補正電圧を供給するコモン電圧用端子２０２ｂ、２０２ｃ、２０２ｄ及び前記コモン電極２０２のコモン電圧信号を検出するコモン電圧用端子２０２ａを設けた液晶パネル２０１」は、本願発明の「コモン電極にコモン電圧を供給する電圧供給端子及びコモン電極の電圧をモニタするための電圧モニタ端子を設けたＬＣＤパネル」に相当する。
　
５−４
　本願発明における
「前記コモン電極駆動回路が、前記電圧供給端子にコモン電圧を供給する増幅器と、前記電圧モニタ端子の電圧の各水平時間内の所定の時間幅における電位を選択的に抽出して得られた電圧のコモン基準電圧に対する極性と同極性の電圧で、かつ前記コモン電極の電圧とコモン基準電圧との差に応じた補正電圧を発生する回路と、その補正電圧発生回路の出力の前記離散的なリップルをコモン基準電圧より減算し、そして得られた電圧を前記増幅器に入力する減算器とを具備する」
と引用発明における
「前記補正回路２０３が、
　ＨＳＹＮＣ（水平同期信号）を遅延回路２９０で遅延させた信号であるサンプル信号のタイミングに応じて、演算増幅器２４１の正入力端子に入力されるコモン電圧検出信号をサンプルホールドし、演算増幅器２５１の出力端子からサンプルホールド電圧を出力するサンプルホールド回路と、
　水平同期信号が入力される１水平走査期間の初めの期間（以下、この期間を「リセット期間」という。）は基準コモン電圧を選択して出力し、その後の期間（以下、この期間を「非リセット期間」という。）はサンプルホールドされた演算増幅器２５１の出力を選択して出力するリセット用スイッチ２８０と、
　正入力端子、負入力端子、出力端子を有し、前記正入力端子は基準コモン電圧が入力され、前記負入力端子は第６の抵抗を介してリセット用スイッチ２８０の出力端子が接続されるとともに第７の抵抗を介して出力端子に接続され、前記出力端子は前記第７の抵抗を介して前記負入力端子に接続されるとともに補正電圧を出力する演算増幅器２６１とを具備し、
　第６の抵抗、第７の抵抗及び演算増幅器２６１で構成される回路の動作は、
　
　リセット用スイッチ２８０がサンプルホールドされた演算増幅器２５１の出力を選択する非リセット期間での動作：
　　（１）第６の抵抗に流れる電流値：
　　　　（Ｖｓａｍｐ−Ｖｃｏｍ）／Ｒ６
　　（２）第７の抵抗での電圧降下値：
　　　　（Ｖｓａｍｐ−Ｖｃｏｍ）＊Ｒ７／Ｒ６
　　（３）演算増幅器２６１の出力電位Ｖｏｕｔ：
　　　　Ｖｏｕｔ≒Ｖｃｏｍ−（Ｖｓａｍｐ−Ｖｃｏｍ）＊Ｒ７／Ｒ６
　
　リセット用スイッチ２８０が基準コモン電圧を選択するリセット期間での動作
　　（４）第６の抵抗には電流が流れない。
　　（５）第７の抵抗に電圧降下は発生しない。
　　（６）演算増幅器２６１の出力電位Ｖｏｕｔ：
　　　　Ｖｏｕｔ≒Ｖｃｏｍ
　
である…。（但し、補正電圧：Ｖｏｕｔ、 基準コモン電圧：Ｖｃｏｍ、演算増幅器２５１の出力端子の電圧：Ｖｓａｍｐ、第６の抵抗の抵抗値：Ｒ６、第７の抵抗の抵抗値：Ｒ７とする。）」
とを比較する。
　
５−４−１
　上記「５−２−３」で検討したとおり、引用発明の「補正回路２０３」は、本願発明の「コモン電極駆動回路」に相当する。
５−４−２
  引用発明の「演算増幅器２６１」の出力端子は補正電圧を出力し、コモン電圧用端子２０２ｂ、２０２ｃ、２０２ｄに供給していること、上記５−２−２で検討したとおり、本願発明の「コモン電圧」と引用発明の「補正電圧」とは相当関係にあることから、引用発明における、補正電圧を出力し、コモン電圧用端子２０２ｂ、２０２ｃ、２０２ｄに供給する「演算増幅器２６１」は、本願発明の「前記電圧供給端子にコモン電圧を供給する増幅器」に相当する。
５−４−３
　引用発明における「ＨＳＹＮＣ（水平同期信号）を遅延回路２９０で遅延させた信号であるサンプル信号」は、図２６（ｂ）からも明らかなように、各水平時間内に所定の時間幅を有している。そして、該サンプル信号のタイ
ミングに応じて演算増幅器２４１の正入力端子に入力されるコモン電圧検出信号をサンプルホールドすることは、コモン電圧検出信号の電位を選択的に抽出することである。してみると、引用発明における、「ＨＳＹＮＣ（水平同期信号）を遅延回路２９０で遅延させた信号であるサンプル信号のタイミングに応じて、演算増幅器２４１の正入力端子に入力されるコモン電圧検出信号をサンプルホールドし、演算増幅器２５１の出力端子から」出力される「サンプルホールド電圧」、即ち、演算増幅器２５１の出力端子の電圧（Ｖｓａｍｐ）は、本願発明における「前記電圧モニタ端子の電圧の各水平時間内の所定の時間幅における電位を選択的に抽出して得られた電圧」に相当する。
５−４−４
　引用発明における非リセット期間の第７の抵抗に発生する電圧降下値
　　（Ｖｓａｍｐ−Ｖｃｏｍ）＊Ｒ７／Ｒ６
は、上記式より、演算増幅器２５１の出力端子の電圧（Ｖｓａｍｐ）の基準コモン電圧（Ｖｃｏｍ）に対する極性と同極性の電圧で、演算増幅器２５１の出力端子の電圧電圧（Ｖｓａｍｐ）と基準コモン電圧（Ｖｃｏｍ）との差に応じた値である。ここで、上記「５−４−３」で検討したとおり、引用発明の演算増幅器２５１の出力端子の電圧（Ｖｓａｍｐ）が、本願発明における「前記電圧モニタ端子の電圧の各水平時間内の所定の時間幅における電位を選択的に抽出して得られた電圧」に相当するから、引用発明における第７の抵抗に発生する電圧降下値は、本願発明における「前記電圧モニタ端子の電圧の各水平時間内の所定の時間幅における電位を選択的に抽出して得られた電圧のコモン基準電圧に対する極性と同極性の電圧で、かつ前記コモン電極の電圧とコモン基準電圧との差に応じた補正電圧」に相当する。そして、引用発明における第７の抵抗に電圧降下を発生させる回路、即ち、第６の抵抗、第７の抵抗、演算増幅器２６１で構成される回路は、本願発明の「…補正電圧を発生する回路」に相当する。
５−４−５
　引用発明における演算増幅器２６１は、基準コモン電圧（Ｖｃｏｍ）から第７の抵抗に発生する該電圧降下値を減算した補正電圧（Ｖｏｕｔ）
　　Ｖｏｕｔ≒Ｖｃｏｍ−（Ｖｓａｍｐ−Ｖｃｏｍ）＊Ｒ７／Ｒ６
を出力していることから、引用発明における第６の抵抗、第７の抵抗、演算増幅器２６１で構成される回路は、本願発明における「減算器」に相当する。
５−４−６
　以上のことから、本願発明における
「前記コモン電極駆動回路が、前記電圧供給端子にコモン電圧を供給する増幅器と、前記電圧モニタ端子の電圧の各水平時間内の所定の時間幅における電位を選択的に抽出して得られた電圧のコモン基準電圧に対する極性と同極性の電圧で、かつ前記コモン電極の電圧とコモン基準電圧との差に応じた補正電圧を発生する回路と、その補正電圧発生回路の出力の前記離散的なリップルをコモン基準電圧より減算し、そして得られた電圧を前記増幅器に入力する減算器とを具備する」
と引用発明における
「前記補正回路２０３が、
　ＨＳＹＮＣ（水平同期信号）を遅延回路２９０で遅延させた信号であるサンプル信号のタイミングに応じて、演算増幅器２４１の正入力端子に入力されるコモン電圧検出信号をサンプルホールドし、演算増幅器２５１の出力端子からサンプルホールド電圧を出力するサンプルホールド回路と、
　水平同期信号が入力される１水平走査期間の初めの期間（以下、この期間を「リセット期間」という。）は基準コモン電圧を選択して出力し、その後の期間（以下、この期間を「非リセット期間」という。）はサンプルホールドされた演算増幅器２５１の出力を選択して出力するリセット用スイッチ２８０と、
　正入力端子、負入力端子、出力端子を有し、前記正入力端子は基準コモン電圧が入力され、前記負入力端子は第６の抵抗を介してリセット用スイッチ２８０の出力端子が接続されるとともに第７の抵抗を介して出力端子に接続され、前記出力端子は前記第７の抵抗を介して前記負入力端子に接続されるとともに補正電圧を出力する演算増幅器２６１とを具備し、
　第６の抵抗、第７の抵抗及び演算増幅器２６１で構成される回路の動作は、
　
　リセット用スイッチ２８０がサンプルホールドされた増幅器251 の出力を選択する非リセット期間での動作：
　　（１）第６の抵抗に流れる電流値：
　　　　（Ｖｓａｍｐ−Ｖｃｏｍ）／Ｒ６
　　（２）第７の抵抗での電圧降下値：
　　　　（Ｖｓａｍｐ−Ｖｃｏｍ）＊Ｒ７／Ｒ６
　　（３）演算増幅器２６１の出力電位Ｖｏｕｔ：
　　　　Ｖｏｕｔ≒Ｖｃｏｍ−（Ｖｓａｍｐ−Ｖｃｏｍ）＊Ｒ７／Ｒ６
　
　リセット用スイッチ２８０が基準コモン電圧を選択するリセット期間での動作
　　（４）第６の抵抗には電流が流れない。
　　（５）第７の抵抗に電圧降下は発生しない。
　　（６）演算増幅器２６１の出力電位Ｖｏｕｔ：
　　　　Ｖｏｕｔ≒Ｖｃｏｍ
　
である…。（但し、補正電圧：Ｖｏｕｔ、 基準コモン電圧：Ｖｃｏｍ、演算増幅器２５１の出力端子の電圧：Ｖｓａｍｐ、第６の抵抗の抵抗値：Ｒ６、第７の抵抗の抵抗値：Ｒ７とする。）」
とは、
「前記コモン電極駆動回路が、前記電圧供給端子にコモン電圧を供給する増幅器と、前記電圧モニタ端子の電圧の各水平時間内の所定の時間幅における電位を選択的に抽出して得られた電圧のコモン基準電圧に対する極性と同極性の電圧で、かつ前記コモン電極の電圧とコモン基準電圧との差に応じた補正電圧を発生する回路と、その補正電圧発生回路の出力の前記離散的なリップルをコモン基準電圧より減算する減算器とを具備する」
点で一致する。
５−５　
　してみると、本願発明と引用発明は、
「コモン電極にコモン電圧を供給する電圧供給端子及びコモン電極の電圧をモニタするための電圧モニタ端子を設けたＬＣＤパネルと、
　前記電圧モニタ端子の電圧を検出して、コモン基準電圧と比較し、コモン電極の電圧がコモン基準電圧に一致するようなコモン電圧を生成して、前記電圧供給端子に供給するコモン電極駆動回路と
　を備えたＴＦＴ（薄膜トランジスタ）・アクティブマトリクス型の液晶表示装置であって、
　前記コモン電極駆動回路が、
　前記電圧供給端子にコモン電圧を供給する増幅器と、
　前記電圧モニタ端子の電圧の各水平時間内の所定の時間幅における電位を選択的に抽出して得られた電圧のコモン基準電圧に対する極性と同極性の電圧で、かつ前記コモン電極の電圧とコモン基準電圧との差に応じた補正電圧を発生する回路と、
　その補正電圧発生回路の出力の前記離散的なリップルをコモン基準電圧より減算する減算器と
を具備する液晶表示装置。」
の点で一致し、次の点で相違する。
　
（相違点）コモン電極駆動回路が具備する「増幅器」、「補正電圧を発生する回路」と「減算器」を、本願発明では、それぞれ別の回路として構成し、「減算器」は減算して得られた電圧を「増幅器」に入力しているのに対し、引用発明では、第６の抵抗、第７の抵抗、演算増幅器２６１で構成される一体の回路として構成している点。
　
６　検討
６−１　（相違点）についての検討
　引用発明における、第６の抵抗、第７の抵抗、演算増幅器２６１で構成される回路は、コモン電圧用端子２０２ｂ、２０２ｃ、２０２ｄに補正電圧を供給する増幅器としての機能、補正電圧を発生する機能、離散的なリップルである補正電圧を基準コモン電圧より減算する減算器としての機能を備えており、本願発明の「増幅器」、「補正電圧を発生する回路」と「減算器」と同様の機能を有している。ここで、一般に、複数の機能を有する回路を、各機能毎に別の回路として構成するか、あるいは、一体の回路として構成するかは、当業者が回路を設計する際の設計的事項であるから、引用発明において、増幅器としての機能、補正電圧を発生する機能、減算器としての機能をそれぞれ別の回路として構成し、減算して得られた電圧を「減算器」が「増幅器」に入力するよう構成することは、当業者が容易に想到し得たことと認められる。
　
　そして、本願発明が奏する作用効果は、引用発明と上記設計的事項に基いて当業者が予測し得る程度のものである。
　してみると、本願発明は、引用発明と上記設計的事項とに基いて当業者が容易に発明をすることができたものである。
　
７．むすび
　以上のとおり、本願発明は、引用発明と上記設計的事項に基いて当業者が容易に発明をすることができたものであるから、特許法第２９条第２項の規定により特許を受けることができない。
　したがって、本願は、その余の請求項に係る発明について検討するまでもなく拒絶されるべきものである。
　
　よって、結論のとおり審決する。